(57)【要約】【課題】  目隠し性を保持しつつ風切音を低減する目隠しパネルを提供する。【解決手段】  金属製の平板２と、該平板２を貫通する複数個の貫通孔３を有するパンチングパネルからなる目隠しパネル１であって、前記貫通孔３を各対角線の頂点が鉛直及び水平線上となる略矩形形状とした。好ましくは、前記貫通孔３は一辺が１０〜２０ｍｍの正方形であり、水平に対し４５°傾斜する複数の貫通孔３の列を形成し、相互に直交する傾斜した貫通孔３の列により斜め格子形状を形成し、傾斜した各列内で隣接する貫通孔３の貫通孔配列方向の辺は同一直線状に形成され、各列内で隣り合う貫通孔間の距離は５〜８ｍｍである。【選択図】        図１
2005090159.tif 000002
【特許請求の範囲】
【請求項１】
金属製の平板を貫通する複数個の菱形の貫通孔を有するパンチングパネルからなる目隠しパネルであって、
前記貫通孔は各対角線が鉛直及び水平方向となるように形成されたことを特徴とする目隠しパネル。
【請求項２】
前記貫通孔は一辺が１０〜２０ｍｍの正方形であり、水平に対し４５°傾斜する複数の貫通孔の列を形成し、相互に直交する傾斜した貫通孔の列により斜め格子形状を形成し、傾斜した各列内で隣接する貫通孔の貫通孔配列方向の辺は同一直線状に形成され、各列内で隣り合う貫通孔間の距離は５〜８ｍｍであることを特徴とする請求項１に記載の目隠しパネル。
【発明の詳細な説明】
【技術分野】
【０００１】
本発明は、バルコニー等に取付けられるパンチングパネルからなる目隠しパネルに関するものである。
【背景技術】
【０００２】
高層の建物において、通風性と目隠し性を考慮してバルコニー等のフェンスに目隠しパネルが取付けられる。この目隠しパネルは、その強度を考慮して金属製であることが好ましい。
【０００３】
図１７は従来の丸孔目隠しパネルの概略平面図である。
丸孔目隠しパネル７１は丸形状の貫通孔７２が金属性の平板７３に複数個穿設されたものである。この丸孔目隠しパネル７１は、貫通孔７２ａを縦方向に所定間隔で穿設した貫通孔列７４ａと、この貫通孔列７４ａの各貫通孔７２ａ間の中点を中心とする貫通孔７２ｂが縦方向に所定間隔で穿設した貫通孔列７４ｂが交互に備わるものである。なお、貫通孔列７４ａの各貫通孔７２ａ間距離Ｋと、貫通孔列７４ａ及び貫通孔列７４ｂの貫通孔７２ａと貫通孔７２ｂ間距離Ｋは同じ長さとする。
【０００４】
図１８は従来の丸孔目隠しパネルの騒音レベルを示すグラフである。
（Ａ）はφ３ｍｍの貫通孔７２で貫通孔距離Ｋが２ｍｍの丸孔目隠しパネル７１に風速１８ｍ／ｓの風を角度０°方向（パネルの真横を０°、真下を９０°とする）から吹き当てて測定したものである。グラフが示すように、周波数８０００Ｈｚ付近で強い風切音が測定された。また、貫通孔径がφ３ｍｍと小さいため、弱い風速では風が通過せず、通風性が悪かった。
【０００５】
（Ｂ）はφ４ｍｍの貫通孔７２で貫通孔距離Ｋが３ｍｍの丸孔目隠しパネル７１に風速１６ｍ／ｓの風を角度８５°方向から吹き当てて測定したものである。グラフが示すように、所定の周波数で断続的に強い風切音が測定された。
【０００６】
（Ｃ）はφ６ｍｍの貫通孔７２で貫通孔距離Ｋが３ｍｍの丸孔目隠しパネル７１に風速１８ｍ／ｓの風を角度７２°方向から吹き当てて測定したものである。グラフが示すように、所定の周波数で断続的に強い風切音が測定された。
【０００７】
（Ｄ）はφ１６ｍｍの貫通孔７２で貫通孔距離Ｋが５ｍｍの丸孔目隠しパネル７１に風速１８ｍ／ｓの風を角度７２°方向から吹き当てて測定したものである。グラフが示すように、周波数７００Ｈｚ付近で風切音が測定された。
【０００８】
（Ｅ）はφ２０ｍｍの貫通孔７２で貫通孔距離Ｋが１０ｍｍの丸孔目隠しパネル７１に風速２０ｍ／ｓの風を角度７８°方向から吹き当てて測定したものである。グラフが示すように、周波数６００Ｈｚ付近で風切音が測定された。
【０００９】
（Ｆ）はφ２５ｍｍの貫通孔７２で貫通孔距離Ｋが５ｍｍの丸孔目隠しパネル７１に風速２０ｍ／ｓの風を角度７８°方向から吹き当てて測定したものである。グラフが示すように、周波数４００Ｈｚ付近で風切音が測定された。また、φ２５ｍｍの丸孔は外部からバルコニー等の中が視認できる程度の大きさであるため、目隠し性が期待できない。
【００１０】
図１９は従来の角孔目隠しパネルの概略平面図である。
角孔目隠しパネル８１は金属性の平板８３の各辺と平行な４辺の正方形形状の貫通孔８２が複数個穿設されたものである。隣り合う貫通孔８２は所定間隔Ｌごとに穿設されて形成される。
【００１１】
図２０は従来の角孔目隠しパネルの騒音レベルを示すグラフである。
（Ａ）は１辺１０ｍｍの貫通孔８２で貫通孔距離Ｌが６ｍｍの角孔目隠しパネル８１に風速１８ｍ／ｓの風を角度８６°方向から吹き当てて測定したものである。グラフが示すように、周波数１０００Ｈｚ付近で風切音が測定された。
【００１２】
（Ｂ）は１辺２０ｍｍの貫通孔８２で貫通孔距離Ｌが２０ｍｍの角孔目隠しパネル８１に風速２０ｍ／ｓの風を角度４４°方向から吹き当てて測定したものである。グラフが示すように、周波数１０００〜２０００Ｈｚ付近で風切音が測定された。
【００１３】
通風性を確保しつつ風切り音による笛吹き現象を生じさせないことを目的とするフェンス用パンチングプレートが特許文献１に記載されている。この特許文献１のパンチングプレートは金属板に多数の貫通孔を穿設し、この多数の貫通孔で菱形多孔部を形成するものである。すなわち、各菱形の孔部は多数の小径の丸孔を密に穿設して形成したものである。しかしこの菱形多孔部の形成には多数の貫通孔をプレートの所定の位置に穿設しなければならず、手間がかかり面倒である。また、菱形多孔部における多数の貫通孔の配置は上述した丸孔目隠しパネルと同様であり、確実に風切音を防止することはできない。
【００１４】
【特許文献１】特開２００２−３３２７５７号公報
【発明の開示】
【発明が解決しようとする課題】
【００１５】
本発明は、上記従来技術を考慮したものであり、目隠し性を保持しつつ風切音を低減する目隠しパネルの提供を目的とする。
【課題を解決するための手段】
【００１６】
前記目的を達成するため、請求項１の発明では、金属製の平板と、該平板を貫通する複数個の貫通孔を有するパンチングパネルからなる目隠しパネルであって、前記貫通孔は各対角線の頂点が鉛直及び水平線上となる略矩形形状であることを特徴とする目隠しパネルを提供する。
【００１７】
請求項２の発明では、前記貫通孔は一辺が１０〜２０ｍｍの正方形であり、隣り合う貫通孔間の距離は５〜８ｍｍであることを特徴としている。
【発明の効果】
【００１８】
請求項１の発明によれば、金属製の平板に各対角線の頂点が鉛直及び水平線上となる、例えば菱形形状の貫通孔を複数個設けてこれを建物のバルコニー等に取付けた場合、充分大きな強度を有するとともに容易に製造でき、目隠し性を保持しつつ、貫通孔からの通風性を確保でき、さらに風が吹付けられても風切音が発生することのない目隠しパネルを得ることができる。
【００１９】
請求項２の発明によれば、正方形の菱形の一辺を１０〜２０ｍｍとし、間隔を５〜８ｍｍとした斜め格子状のパネルを形成することにより、特に風切音の発生が生じない良好な目隠しパネルを得ることができる。
【発明を実施するための最良の形態】
【００２０】
図１は本発明に係る目隠しパネルの概略平面図である。
図示したように、本発明に係る目隠しパネル１は、金属製の平板２に多数の貫通孔３を穿設して形成される。貫通孔３は略矩形形状（図では正方形）であり、対角線が鉛直方向及び水平方向となり平板２を立てたときに菱形形状に形成される。この貫通孔３はそれぞれ４辺で隣り合う貫通孔３の１辺と距離Ｊ離れて平行になるように連続して穿設される。
【実施例１】
【００２１】
図２は本発明に係る目隠しパネルの騒音レベルを示すグラフである。なお、各実施例におけるグラフにおいて、縦軸は音圧レベル（ｄＢ）、横軸は周波数（Ｈｚ）を示す。
本実施例は貫通孔３の１辺の長さを１０ｍｍとし、距離Ｊを５ｍｍとした目隠しパネル１に風速１６ｍ／ｓ（（Ａ）、（Ｂ））、１８ｍ／ｓ（（Ｃ）、（Ｄ））、２０ｍ／ｓ（（Ｅ）、（Ｆ））の風を角度０°（（Ａ）、（Ｃ）、（Ｅ））又は７０°（（Ｂ）、（Ｄ）、（Ｆ））の方向（パネルの真横を０°、真下を９０°とする）から吹き当てて騒音レベルを測定したものである。（Ａ）〜（Ｆ）のグラフが示すように、各風速の風をいずれの方向から吹き当てても風切音を示すグラフの突起が発生しない。なお、グラフ中の○印で示す部分は暗騒音（実験室の音）であり、風切音を示すものではない。したがって、本実施例の目隠しパネルは風切音の問題なく使用できることが確認される。
【実施例２】
【００２２】
図３〜９は本発明に係る別の目隠しパネルの騒音レベルを示すグラフである。
本実施例は貫通孔３の１辺の長さを１５ｍｍとし、距離Ｊを５ｍｍとした目隠しパネル１を用いて風速が８〜２０ｍ／ｓ（図３から順に２ｍ／ｓ刻み）の風を角度０°、４０°、７０°、９０°の方向（各図の（Ａ）が０°、（Ｂ）が４０°、（Ｃ）が７０°、（Ｄ）が９０°）から吹き当てて騒音レベルを測定したものである。各図（Ａ）〜（Ｄ）の各グラフにおいて、○印で示す暗騒音以外は風切音を示すグラフの突起が発生しない。したがって、本実施例の目隠しパネルは風切音の問題なく使用できることが確認される。
【実施例３】
【００２３】
図１０〜１６は本発明に係るさらに別の目隠しパネルの騒音レベルを示すグラフである。
本実施例は貫通孔３の１辺の長さを２０ｍｍとし、距離Ｊを８ｍｍとした目隠しパネル１を用いて風速が８〜２０ｍ／ｓ（図１０から順に２ｍ／ｓ刻み）の風を角度０°、４０°、７０°、９０°方向（各図の（Ａ）が０°、（Ｂ）が４０°、（Ｃ）が７０°、（Ｄ）が９０°）から吹き当てて騒音レベルを測定したものである。各図（Ａ）〜（Ｄ）の各グラフにおいて、○印で示す暗騒音以外は風切音を示すグラフの突起が発生しない。したがって、本実施例の目隠しパネルは風切音の問題なく使用できることが確認される。
【００２４】
したがって、本発明に係る目隠しパネル１は、正方形からなる菱形の貫通孔の１辺を１０，１５，２０ｍｍのいずれの場合であっても、斜め格子の斜め方向に隣接する貫通孔間の間隔をそれぞれ５又は８ｍｍとすることにより、建物のバルコニー等に用いたとしても貫通孔３による通風性を確保でき、目隠し性を保持して風切音を低減することができる。
【図面の簡単な説明】
【００２５】
【図１】本発明に係る目隠しパネルの概略平面図。
【図２】本発明に係る目隠しパネルの騒音レベルを示すグラフ。
【図３】本発明に係る別の目隠しパネルの騒音レベルを示すグラフ。
【図４】本発明に係る別の目隠しパネルの騒音レベルを示すグラフ。
【図５】本発明に係る別の目隠しパネルの騒音レベルを示すグラフ。
【図６】本発明に係る別の目隠しパネルの騒音レベルを示すグラフ。
【図７】本発明に係る別の目隠しパネルの騒音レベルを示すグラフ。
【図８】本発明に係る別の目隠しパネルの騒音レベルを示すグラフ。
【図９】本発明に係る別の目隠しパネルの騒音レベルを示すグラフ。
【図１０】本発明に係るさらに別の目隠しパネルの騒音レベルを示すグラフ。
【図１１】本発明に係るさらに別の目隠しパネルの騒音レベルを示すグラフ。
【図１２】本発明に係るさらに別の目隠しパネルの騒音レベルを示すグラフ。
【図１３】本発明に係るさらに別の目隠しパネルの騒音レベルを示すグラフ。
【図１４】本発明に係るさらに別の目隠しパネルの騒音レベルを示すグラフ。
【図１５】本発明に係るさらに別の目隠しパネルの騒音レベルを示すグラフ。
【図１６】本発明に係るさらに別の目隠しパネルの騒音レベルを示すグラフ。
【図１７】従来の丸孔目隠しパネルの概略平面図。
【図１８】従来の丸孔目隠しパネルの騒音レベルを示すグラフ。
【図１９】従来の角孔目隠しパネルの概略平面図。
【図２０】従来の角孔目隠しパネルの騒音レベルを示すグラフ。
【符号の説明】
【００２６】
１：目隠しパネル、２：平板、３：貫通孔。
【図１】
2005090159.tif 000003
【図２】
2005090159.tif 000004
【図３】
2005090159.tif 000005
【図４】
2005090159.tif 000006
【図５】
2005090159.tif 000007
【図６】
2005090159.tif 000008
【図７】
2005090159.tif 000009
【図８】
2005090159.tif 000010
【図９】
2005090159.tif 000011
【図１０】
2005090159.tif 000012
【図１１】
2005090159.tif 000013
【図１２】
2005090159.tif 000014
【図１３】
2005090159.tif 000015
【図１４】
2005090159.tif 000016
【図１５】
2005090159.tif 000017
【図１６】
2005090159.tif 000018
【図１７】
2005090159.tif 000019
【図１８】
2005090159.tif 000020
【図１９】
2005090159.tif 000021
【図２０】
2005090159.tif 000022